(57)【要約】【課題】従来、野外写生などにケースに入った色鉛筆を持ち歩いているが、写生する場合には、ケースを持ちながら描くことは出来ず、これを下に置いて、色鉛筆を必要に応じて交換している。これは、立って描く場合には、その都度姿勢を変えて下から色鉛筆を取らなければならず、大変不便である。【解決手段】色鉛筆などの筆記具を収納する収納ケースで箱体の小口から筆記具を挟みながら収納するＵ字状の柔軟な帯状体が収納されており、帯状体の一端は箱体の側壁に固定され、他の一端は、筆記具の端を潜って他方の側壁の小口に臨んでいる。筆記具使用時には、他の一端を小口より引き出せば帯状体と筆記具も共に箱体の小口より外に出て来る。収納ケースの小口を上になるように、首などから吊るすように身体にとりつければ、姿勢を変えることなく筆記具を小口より取り出すことが出来る。【選択図】図３
2015020057.tif 000002
【特許請求の範囲】
【請求項１】
箱体の小口から筆記具を収納するようにした筆記具収納ケースであって、該収納ケース内には、筆記具を挟みながら収納するＵ字状の柔軟な帯状体が収納され、前記帯状体の一端は、前記小口の一方の側壁に固定され、他方の一端は、前記筆記具の端部を潜って他方の側壁の前記小口に臨まされており、その他方の一端を小口より引き出すと、前記箱体に収納された前記筆記具が前記帯状体と共に前記箱体から進出するように構成されたことを特徴とする筆記具収納ケース。
【請求項２】
前記小口の内側に、前記筆記具をスライド可能に支持する滑り止め部材を設けることを特徴とする請求項１記載の筆記具収納ケース。
【発明の詳細な説明】
【技術分野】
【０００１】  本発明は、筆記具を収納する収納ケースに関するものである。
【背景技術】
【０００２】  従来、写生する場合は、下記特許文献１に例示するまでもなく、筆記具（例えば、色鉛筆、鉛筆、色筆、パステル、クレパスなど）を単に蓋をとりつけた筆記具収納ケース（以下、収納ケース）に入れて持ち歩いて描いている。
【先行技術文献】
【特許文献】
【０００３】
【特許文献１】特許第３６９８６７４号
【発明の概要】
【発明が解決しようとする課題】
【０００４】  色鉛筆などを使用して写生する場合、多くの本数の色鉛筆を筆記具として収納ケースに入れて持ち歩くが、収納ケースは全体に大きく偏平な蓋をつけたもので描く場合、蓋を開いて持ち続けることは出来ず、収納ケースを身体から離して下に置かねばならず、色鉛筆を交換する度ごとに姿勢を変えて下方より取らなければならず、不便である。
そのため、色鉛筆を収納ケースに入れ、首から吊るすか、または、腰など身体にとりつけ使用時には、姿勢を変えずに、直ちに取り出すことが出来る収納ケースを実現することが目的とするものである。
【課題を解決するための手段】
【０００５】  そして、本発明は、上記目的を達成するもので、本発明の課題解決手段は箱体の小口から筆記具を収納するようにした筆記具収納ケースであって、該収納ケース内には、筆記具を挟みながら、収納するＵ字状の柔軟な帯状体が収納され、前記帯状体の一端は、前記小口の一方の側壁に固定され、他方の一端は、前記筆記具の端部を潜って他方の側壁の前記小口に臨まされており、その他方の一端を小口より引き出すと、前記箱体に収納された前記筆記具が前記帯状体と共に前記箱体から進出するような構成からなっている。【０００６】  また第２の課題解決手段は、前記箱体の前記小口の一方の側壁に、前記筆記具をスライド可能に支持する滑り止め部材を設ける構成からなっている。【０００７】  つぎに、上記第１の課題解決手段による作用は次の通りである。すなわち、本発明の収納ケースは、前述のごとく、帯状体をＵ字状にしてその内部に筆記具の端部を帯状体に接するように挟み込んでおり、使用時には、帯状体の他方の一端を箱体の小口より引き出せば、これと連動して、筆記具の端部が押し上げられ、反対の他端部も小口より外に任意の量の長さを出すことが出来る。すなわち、長さに関係なく収納した全ての筆記具を小口より外に出し、取り出すことが出来る。また、この収納ケースを筆記具を取り易い方向にして、身体にとりつければ、簡単に筆記具を取り出すことが出来る。【０００８】  また、第２の課題解決手段による作用は、収納ケースの箱体の小口が下方に向いても、筆記具は箱体の側壁に設けた滑り止め部材との摩擦により箱体からの落下を防ぐようにしている。
【発明の効果】
【０００９】  本発明の筆記具収納ケースは、小口を上に向けるように身体に取りつけることにより、身体の姿勢を変えなくても筆記具を簡単に取り出すことが出来る効果がある。【００１０】  また、使用頻度により筆記具に長さの差が生じても、全ての筆記具を同時に収納ケースの小口より外に食み出させることが出来る。【００１１】  また、小口より引き出された帯状体は柔軟なため湾曲状になって筆記具より離れるため筆記具のみが箱体の外に食み出し、指にて簡単に筆記具を摘まみ、取り出すことが出来る。【００１２】  過って、収納ケースの箱体の小口を下方に向けても、筆記具が下方に飛び出すことはなく安心である。【００１３】  収納ケースの側面は偏平状に形成されており、この側面に、画用紙、スケッチブックなどを載せれば、画板として使用出来る効果がある。
【図面の簡単な説明】
【００１４】
【図１】本発明の実施形態を示す筆記具収納ケースの正面図
【図２】同筆記具収納ケースの筆記具を収納したときの側面断面図
【図３】同筆記具収納ケースの筆記具を取り出すときの側面断面図
【発明を案施するための形態】
【００１５】  以下、添付の図面により本発明の実施例の形態を説明する。
【００１６】  図において、１は箱体で、小口１ａから筆記具である色鉛筆（以下鉛筆）５を縦方向に収納するようにした収納ケースで、箱体１の部屋１ｂには鉛筆５を挟むようにＵ字状の柔軟な帯状体２を収納し、その帯状体２は、一端２ａを箱体１の部屋１ｂの側壁１ｃに固定し、他方の一端２ｂには、止め具３を一体化するように設け、鉛筆５の端部５ａを潜って部屋１ｂの他方の側壁１ｄの小口１ａに係止されている。
【００１７】  つぎに、上記の動作を説明する。初めに、小口１ａが上方になるように箱体１を身体にとりつけ、鉛筆５を取り出すときは、帯状体２の他の一端２ｂに設けた止め具３を小口１ａより外し、引き出せば、帯状体２に接している鉛筆５の端部５ａを押し上げるため、鉛筆５は、すべて長短の長さに関係なく鉛筆５の他端部５ｂを箱体１の小口１ａより外に進行させ、鉛筆５を取り出すことが出来る。
【００１８】  この場合、帯状体２は化合物質のシートで形成されており、小口１ａとの摩擦、また、弾力性をもたせたうえＵ字状に曲げているため、部屋１ｂの側壁１ｃ、１ｄを押しつけ摩擦をつけることで、帯状体２を手で引き出し、離しても、鉛筆５が自重により元に戻ることはなく、任意の長さを食み出させて止めることが出来る。
【００１９】  なお、使用中過って小口１ａを下方に向けても、鉛筆５が箱体１より飛び出すことを防ぐため、箱体１の側壁１ｃに、滑り止め部材４（例えば、ブラシなど、クッション性のあるもの）を設け、鉛筆５の側面を摩擦力で押え、鉛筆５を手または、帯状体２にて出し入れする以外は、自重により箱体１より落下することを防いでいる。
【００２０】  つぎに、本発明の収納ケースは、筆記具をタテ方向より取り出すため、ケースの側面を偏平状にすることが出来、この側面（実施例においては、箱体１の外面１ｅと受け部材１ｆ）に画用紙。スケッチブックなどを載せるようにすれば、画板として使用することが出来る。
【００２１】  また、本発明の収納ケースを机上にて使用する場合、箱体１の小口１ａを上方に向けるように、箱体１を支え、机上に立てるように置けば、筆記具をタテ方向より取り出し易く使用することが出来る（図示なし）。
【００２２】  つぎに鉛筆５を収納する場合は、帯状体２の止め具３を小口１ａに止まるまで元に戻せば、帯状体２自体も元に戻り鉛筆５も箱体１の部屋１ｂに収納される。
【符号の説明】
【００２３】１    箱体
１ａ  小口
１ｂ  部屋
１ｃ  側壁
１ｄ  側壁
１ｅ  外面
１ｆ  受け部材
２    帯状体
２ａ  帯状体の一端
２ｂ  帯状体の一端
３    止め具
４    滑り止め部材
５    鉛筆（筆記具）
５ａ  鉛筆の端部
５ｂ  鉛筆の他端部
【図１】
2015020057.tif 000003
【図２】
2015020057.tif 000004
【図３】
2015020057.tif 000005